(57)【要約】【課題】ネジ作用の固定方式を用いることなく，親綱固定具に作用する力のバランスを利用してワンタッチで親綱固定具を固定する。【解決手段】作業者の転落を防止する親綱を建造物などに固定するための親綱固定具において，親綱を括り付ける取付部を備えた金具と，前記金具を建造物の縁部に固定するための牽引部材と，を有し，前記金具は，前記建造物の縁部の隣接する外壁面と上面とに少なくとも当接する形状をなしている。前記建造物の留め具に係止された前記牽引部材は，前記金具に作用する牽引力を利用してワンタッチで親綱固定具を建造物の縁部に固定する。【選択図】図１
2015137461.tif 000002
【特許請求の範囲】
【請求項１】
作業者の転落を防止する親綱を建造物などに固定するための親綱固定具において，
親綱を括り付ける取付部を備えた金具と，
前記金具を建造物の縁部に固定するための牽引部材と，を有し，
前記金具は，前記建造物の縁部の隣接する外壁面と上面とに少なくとも当接する形状をなし，
前記建造物の留め具に係止された前記牽引部材は，前記親綱を介して前記金具に加わる荷重に対抗する牽引力を前記金具に作用するものであることを特徴とする親綱固定具。
【請求項２】
前記金具と前記牽引部材とを組み合わせることにより，前記建造物の留め具に係止された前記牽引部材を２辺とし前記金具を１辺とし，前記２辺をなす牽引部材により前記金具に前記牽引力を付与するトラス構造として構築したことを特徴とする請求項１に記載の親綱固定具。
【請求項３】
前記金具を，前記建造物の縁部に装着するコ字型形状としたことを特徴とする請求項１に記載の親綱固定具。
【請求項４】
前記金具と前記建造物の縁部との間に，衝撃を緩和する衝撃緩和材を介装したことを特徴とする請求項１又は請求項３のいずれか一項に記載の親綱固定具。
【請求項５】
前記建造物の留め具に係止した前記牽引部材を，前記金具の頂部より低い位置に連結したことを特徴とする請求項１又は請求項３のいずれか一項に記載の親綱固定具。
【請求項６】
前記トラス構造を複数備えていることを特徴とする請求項１又は請求項３のいずれか一項に記載の親綱固定具。
【請求項７】
親綱が横にずれるのを防止するためのずれ止めを備えていることを特徴とする請求項１又は請求項３のいずれか一項に記載の親綱固定具。
【発明の詳細な説明】
【技術分野】
【０００１】
本発明は，建造物の屋上，壁面において作業する際に作業者の転落を防止する親綱を，建造物に固定するための親綱固定具に関する。
【背景技術】
【０００２】
建造物の屋上，壁面は，広告板や広告塔などが設置されたり，アンテナ等の設置に利活用されることが多い。建造物に広告板や広告塔，アンテナ等を設置する際に，その建造物の屋上や壁面に対して，広告板や広告塔，アンテナ等を支持する取付具を固定するための作業が行われる。
前記建造物の屋上，壁面での作業は，高所で行われることが多く，作業者の転落などを防止する必要があり，そのために作業者を建造物に係止するために親綱が用いられている。
【０００３】
前記親綱の一端を建造物に括り付け，前記親綱に，作業者に括り付けた安全帯を括り付けることにより，作業者が誤って足場から足を踏み外しても作業者を建造物に係留させて作業者の転落を防止するものである。
【０００４】
前記親綱は以上のような機能を有するものであるから，前記親綱の一端を建造物に係止させる必要があり，その目的で親綱固定具が用いられている。
建造物の屋上などには，保護壁，欄干や手摺壁などの目的でパラペットが設けられており，前記パラペットに親綱を親綱固定具で括り付けることが行われている（例えば特許文献１〜４）。
【０００５】
前記親綱を前記パラペットに係止する親綱固定具の一例を図に基づいて説明する。図１０に示す親綱固定具は，本体枠部２０の載置固定部２０ａを建造物のパラペット２１の上面２１ａに載置し，前記本体枠部２０の外壁固定部２０ｂを前記パラペット２１の外壁面２１ｂに当接させ，さらに，前記本体枠部２０に当接する支持板２２を介して挟着固定部２３を前記パラペット２１の内壁面２１ｃに当接させる。すなわちコ字型を呈する前記載置固定部２０ａ及び前記外壁固定部２０ｂ並びに前記挟着固定部２３により前記パラペット２１を挟着することにより，挟着固定部２３を前記パラペット２１の上部に装着していた。そして，前記本体枠部２０に設けた取付具２４に親綱２５の一端取付部２５ａを括り付けていた。前記パラペット２１に集中した負荷をかけないために，前記支持板２２を介して前記挟着固定部２３を，ネジ止め２６で固定していた。
【先行技術文献】
【特許文献】
【０００６】
【特許文献１】特開２００８−４５３６４号公報
【特許文献２】特開２００８−４５３６３号公報
【特許文献３】特開２００５−６１１０６号公報
【特許文献４】特開２０１１−１６３０４３号公報
【発明の概要】
【発明が解決しようとする課題】
【０００７】
上述した親綱固定具においては，その固定にネジ作用による締付力を利用しているため，前記本体枠部２０を移動させるためには，ネジ止め２６の締緩が必要となり，親綱固定具の固定及び開放に時間を要し，作業性が悪いという課題があった。
【０００８】
さらに，従来の親綱固定具では，ネジ作用で固定しているため，その締付力の大小によっては確実にパラペットに固定することができないという課題があった。
【０００９】
さらに，従来の親綱固定具では，ネジ作用で固定しているため，その締付力によっては，パラペットに必要以上の力を加えてしまう可能性があり，その必要以上の力によってパラペットの耐久性を劣化させてしまうという課題があった。
【００１０】
さらに，従来の親綱固定具では，親綱により支える荷重がパラペットのみに作用するため，パラペットの耐久性を劣化させてしまうという課題があった。
【００１１】
本発明の目的は，ネジ作用の固定方式を用いることなく，親綱固定具に作用する牽引部材による牽引力を利用してワンタッチで固定を実現した親綱固定具を提供することにある。
【課題を解決するための手段】
【００１２】
前記目的を達成するため，本発明は，作業者の転落を防止する親綱を建造物などに固定するための親綱固定具において，親綱を括り付ける取付部を備えた金具と，前記金具を建造物の縁部に固定するための牽引部材と，を有し，前記金具は，前記建造物の縁部の隣接する外壁面と上面とに少なくとも当接する形状をなし，前記建造物の留め具に係止された前記牽引部材は，前記親綱を介して前記金具に加わる荷重に対抗する牽引力を前記金具に作用するものであることを特徴とする。
【００１３】
さらに，前記金具と前記牽引部材とを組み合わせることにより，前記建造物の留め具に係止された前記牽引部材を２辺とし前記金具を１辺とし，前記２辺をなす牽引部材により前記金具に前記牽引力を付与するトラス構造とした構成としてもよいものである。
【００１４】
また，前記金具を，前記建造物の縁部に装着するコ字型形状としてもよいものである。
【００１５】
前記金具と前記建造物の縁部との間に，衝撃を緩和する衝撃緩和材を介装したことを特徴とする。
【００１６】
また，前記建造物の留め具に係止した前記牽引部材を，前記金具の頂部より低い位置に連結してもよいものである。
【００１７】
前記トラス構造を複数備えてもよいものである。
【００１８】
また，前記金具に，親綱が横にずれるのを防止するためのずれ止めを備えてもよいものである。
【発明の効果】
【００１９】
以上のように本発明によれば，金具を建造物の縁部に設置し，前記金具を牽引部材により建造物の留め具に係止することにより，前記金具を前記建造物の縁部に固定することができ，前記金具をネジ作用の固定具で固定する場合と比較して，迅速に固定することができ，作業効率を向上させることができる。
【００２０】
さらに，前記建造物の縁部に固定された前記金具に親綱を介して荷重が加わった場合にも，前記金具に作用する前記牽引部材の牽引力により前記荷重を支えることができる。
【００２１】
さらに，本発明は，部品点数も少なく，構造が複雑な部品を使用しないため，安価に製作することができる。
【００２２】
さらに，上述したようにネジ作用による固定に代えて前記金具に作用する牽引部材による牽引力を利用して前記金具を前記建造物の縁部に固定するため，ワンタッチ操作により前記金具の装着・脱着を行うことができる。
【００２３】
さらに，前記金具に作用する牽引部材による牽引力により，前記金具に親綱を介して作用する荷重を支えるため，従来のように前記建造物の縁部にはネジ作用による締付力が加わらないため，前記建造物の縁部の耐久性を損なうことを回避することができる。
【００２４】
さらに，前記金具と前記牽引部材とを組み合わせることにより，前記建造物の留め具に係止された前記牽引部材を２辺とし前記金具を１辺とし，前記２辺をなす牽引部材により前記金具に前記牽引力を付与するトラス構造とすることにより，前記金具を前記建造物の縁部に固定する構造を簡素化できるばかりでなく，前記牽引部材の牽引力のみで前記金具を固定するのに十分な力を得ることができ，構造を簡素化したことによる課題を発生させることがない。
【００２５】
さらに，前記トラス構造によれば，２辺をなす前記牽引部材により前記金具の異なる箇所に牽引力を作用させるため，前記金具に前記建造物の縁部の長手方向に添う力が作用しても，前記金具が前記建造物の縁部の長手方向に移動することはなく，前記金具に係止した親綱の係止位置がずれることはなく，作業者は足場上で親綱を使用して安全に作業を行うことができる。
【図面の簡単な説明】
【００２６】
【図１】本発明の第１の実施形態に係る斜視図である。
【図２】本発明の第１の実施形態に係る断面図である。
【図３】本発明の第１の実施形態に係る金具の構成を示す斜視図である。
【図４】本発明の第１の実施形態に係る平面図である。
【図５】本発明の第２の実施形態に係る断面図である。
【図６】本発明の第２の実施形態に係る金具の構成を示す斜視図である。
【図７】本発明の第３の実施形態に係る断面図である。
【図８】本発明の第４の実施形態に係る断面図である。
【図９】本発明の第５の実施形態に係る平面図である。
【図１０】従来技術を示す図である。
【発明を実施するための形態】
【００２７】
［第１の実施形態］
以下，本発明に係る親綱固定具の実施形態を詳細に説明する。
建造物の屋上，壁面は，広告板や広告塔などが設置されたり，アンテナ等の設置に利活用され，その作業は建造物に足場を構築してその足場を使用することにより行われる。前記建造物の屋上，壁面での作業は，高所で行われることが多く，作業者の転落などを防止するために作業者を建造物に係止するために親綱が用いられている。前記親綱は建造物の縁部を利用して係止される。
本発明の実施形態に係る親綱固定具は，作業者の転落を防止する親綱を建造物などに固定するための親綱固定具を対象とするものであり，建造物の縁部と塔屋の留め具などを使用することにより建造物の縁部に装着するものである。
【００２８】
具体的に説明すると，図１乃至図４に示すように，本発明の実施形態に係る親綱固定具１は，親綱２を括り付ける取付部３ａを備えた金具３と，前記金具３を建造物４の縁部５に固定するための牽引部材としてロープ６，７を具備している。前記建造物４の縁部５は前記建造物４にパラペットが設けられている場合には，そのパラペットが前記縁部５に相当する。
【００２９】
上述したように，建造物４の屋上に設置された塔屋８には，リング状の留め具９が，建造物４の縁部５であるパラペット５に対向する位置に設けられている。前記金具３は，前記パラペット５と前記留め具９とを利用して，前記パラペット５に着脱自在に固定するようになっている。
【００３０】
作業者を係止している親綱２は，金具３に設けられた取付部３ａに取付具２ａで結合されている。
【００３１】
図１乃至図４に示す実施形態における前記金具３は，断面をＬ字型とする形状を有し，前記パラペット５の長手方向に長さを有している。具体的には，前記金具３は，前記パラペット５の外壁面５ａに当接する下方に延びる下辺３ｂと，前記パラペット５の前記外壁面５ａに隣接する上面５ｂに当接する上辺３ｃとを隣接する２辺とするＬ字型形状で構築されている。
従って，前記金具３は，前記上辺３ｃが前記パラペット５の上面５ｂに当接し，前記下辺３ｂが前記パラペット５の外壁面５ａに当接した状態で前記パラペット５の頂部に装着することになる。
【００３２】
前記金具３のリング状の前記留め具９側の端縁の一端及び他端には，取付具３ｄ，３ｅが前記パラペット５の長手方向に離してそれぞれ設けてある。なお，前記取付具３ｄ，３ｅの取付位置は前記金具３の長手方向の両端の位置に限られるものではなく，前記金具３の長手方向に離された位置であればよいものである。
前記ロープ６の一端に設けた取付具６ａを前記金具３の取付具３ｄに連結することで，前記金具３は前記ロープ６と結合している。
同様に，前記ロープ７の一端に設けた取付具７ａを前記金具３の取付具３ｅに連結することで，前記金具３は前記ロープ７と結合している。
さらに，前記ロープ６，７の他端には取付具６ｂ，７ｂがそれぞれ設けられており，前記ロープ６，７の取付具６ｂ，７ｂは前記塔屋８の留め具９に連結してある。
【００３３】
以上のように，前記建造物４のパラペット５に装着した前記金具３と，前記塔屋８の留め具９に連結した２本のロープ６，７とは三角形の構造を呈している。すなわち，前記金具３と前記ロープ６と前記ロープ７とを組み合わせることにより，前記ロープ６，７を２辺とし前記金具３を１辺とし，２辺をなす前記ロープ６，７により前記金具３に牽引力を付与するトラス構造とした構成としている。
【００３４】
次に，図１乃至図３に示す本発明の実施形態に係る親綱固定具の使用状態を説明する。前記親綱固定具を使用する際には，建造物４の足場１０に対応するパラペット５の頂部にＬ字型形状の金具３を被せることにより，前記金具３の上辺３ｃを前記パラペット５の上面５ｂに，その下辺３ｂを前記パラペット５の外壁面５ａにそれぞれ当接させる。この状態において，前記金具３は前記パラペット５の頂部に載置した状態となる。
この状態において，前記金具３の取付具３ｄに前記ロープ６の取付具６ａを，前記金具３の取付具３ｅに前記ロープ７の取付具７ａをそれぞれ連結し，前記金具３から延びる前記ロープ６，７の取付具６ｂ，７ｂを塔屋８の留め具９にそれぞれ連結する。
これにより，前記ロープ６と前記ロープ７を２辺とし前記金具３を１辺とし，２辺をなす前記ロープ６と前記ロープ７により前記金具３に牽引力を付与するトラス構造をなすこととなる。
【００３５】
前記建造物４の足場１０に登った作業者は身に付けた安全帯１３を前記親綱２に取付具１４を用いて前記親綱２に括り付け，前記親綱２の先端に設けた取付具２ａを前記金具３の取付部３ａに係止した状態で作業を行うことになる。
作業者が誤って前記足場１０から足を外して転落等した場合には，作業者の荷重が前記安全帯１３，親綱２を介して前記金具３に加わることになり，その荷重が前記金具３を前記パラペット５の頂部から作業者側に引っ張る力として作用することになる。
【００３６】
本発明の実施形態においては，前記パラペット５の頂部に装着した前記金具３には，記留め具９に連結している前記ロープ６，７が連結しているため，前記金具３は前記ロープ６，７を介して作用する牽引力によって前記パラペット５に固定される。すなわち，前記ロープ６，７による牽引力を利用して，ワンタッチで本発明の実施形態における前記金具３は前記パラペット５の頂部に固定されることになる。
【００３７】
以上の説明では，前記ロープ６，７を連結する前記留め具９が前記塔屋８に設けられている場合を説明したが，これに限られるものではなく，前記留め具９は，前記金具３が設置されたパラペット５の壁面に対面する壁面に設置されている場合や，前記建造物４の屋上面などに設置されていてもよいものである。
また，前記ロープ６と前記ロープ７として２本のロープを使用したが，これに限られるものではない。前記２本のロープ６，７に代えて１本のロープを用いてもよいものである。この場合，その１本のロープの両端に２個の取付具をそれぞれ設けて，その取付具を前記金具３の取付具３ｄ，３ｅに連結し，さらに，前記１本のロープを前記留め具９に係止すればよいものである。その際に，前記１本のロープを前記留め具９に巻き付けてもよく，前記１本のロープの途中に取付具を設けて，その取付具によって前記留め具９に結合してもよい。
上述したように１本のロープを用いる場合，前記留め具９から延びる１本のロープが三角形の２辺をなし，前記金具３を１辺とし，２辺をなす前記１本のロープにより前記金具３に牽引力を付与するトラス構造をなすことになる。
【００３８】
前記建造物４への作業を行う作業者は，前記足場１０上を移動しながら作業を行うものであり，前記金具３には前記親綱２を括り付ける取付部３ａが図１及び図３に示すように，その上辺３ｃに複数個設けていることが望ましいものである。
従って，作業者は足場１０上で作業する位置に応じて複数個の取付部３ａ中から１箇所の取付部３ａを選び，親綱２を取付具２ａにより結合する。
以上のように，前記金具３に設ける取付部３ａは，前記金具３の長さすなわち作業者の移動量に応じて設ければよいものであり，前記取付部３ａの個数は１個以上であればよい。
なお，前記取付部３ａが複数個備えてあれば，２名以上の作業者が親綱をそれぞれ連結して作業を行うことが可能になる。この場合，前記ロープ６，７は，足場１０上の複数人の作業者の荷重に対抗するのに十分な剛性をもつように設定すればよいものである。
【００３９】
上述したように，前記建造物４の屋上，壁面において作業を行う作業者は，前記足場１０上を移動しながら作業を行うものであるから，前記金具３の取付部３ａに連結した前記親綱２が前記金具３の長さ方向に横ずれする場合がある。
【００４０】
そこで図１乃至図４に示す本発明の実施形態に係る親綱固定具においては，前記金具３の上辺３ｃには，前記親綱２が横にずれるのを防止するためのずれ止め３ｆを具備している。
作業者が転落等して前記親綱２が前記金具３の上辺３ｃを長さ方向にずれた際に，前記ずれ止め３ｆがない場合には，作業者が空中で大きく振れることになる。しかし，本発明の実施形態では，前記ずれ止め３ｆによって前記親綱２が左右に振られることを防止することができるものである。前記ずれ止め３ｆは必要に応じて設ければよいものであり，前記ずれ止め３ｆを設ける場合には，その個数が限定されるものではない。
【００４１】
上述したように，前記塔屋８の留め具９に係止した２本のロープ６，７（或いは１本のロープの途中を前記塔屋８の留め具９に係止した場合のロープ）と前記パラペット５の長手方向に長さをもつ前記金具３とを組み合わせることによりトラス構造を構築すると，図４に示すように前記ロープ６，７と前記金具３とが３辺をなす三角形となるものである。
【００４２】
前記トラス構造において，前記ロープ６を前記留め具９と前記取付具３ｄに最短距離で連結すると，前記ロープ６が前記金具３に対してなす角度θ１は直角となる。これに伴って，前記ロープ７は前記ロープ６の長さよりも長い距離で前記取付具３ｅに連結することになり，前記ロープ７が前記金具３に対してなす角度θ２は鋭角になる。
以上の構成に基づいて，前記取付具３ｄには前記ロープ６により前記金具３に直交する方向に牽引力が作用し，前記取付具３ｅには前記ロープ７により前記金具３に対して斜め方向に牽引力が作用することになる。
以上の力のバランスにより，前記金具３に作業者による荷重が加わったとしても，前記金具３は前記パラペット５の長手方向にずれることはなく，前記金具３を前記パラペット５に位置決めして固定することができることになる。
【００４３】
なお，図４に実線で示すように，前記ロープ６を前記取付具３ｄに最短距離で連結するようにしたが，これに限られるものではなく，図４に点線で示すように前記ロープ７を，前記留め具９と前記取付具３ｅに最短距離で連結するようにしてもよいものである。この場合，前記ロープ６の長さは前記ロープ７の長さよりも長く設定されるものである。
【００４４】
以上の説明では，前記ロープ６を前記金具３に対して直角に保持する最短距離で前記金具６の一端に設けた取付具３ｄに連結する場合を説明したが，前記ロープ６と前記金具３とのなす角度θ１は直角に限られるものではない。すなわち，前記ロープ６，７を２辺とし前記金具３を１辺とし，２辺をなす前記ロープ６，７により前記金具３に牽引力を付与する構成であればよいものであるから，必ずしも前記ロープ６を前記金具３に対して直角に保持する必要がなく，前記ロープ６と前記金具３とのなす角度θ１は直角よりも小さい鋭角であってもよいことになる。
【００４５】
［第２の実施形態］
次に，図１乃至図４に示す本発明の実施形態における前記金具３を変更した例を図５及び図６に基づいて他の実施形態として説明する。
【００４６】
図１乃至図４に示す本発明の実施形態においては，前記金具３の形状をその断面がＬ字形としたが，これに限定されるものではない。具体的に説明すると，図５及び図６に示すように，前記金具３の上辺３ｃを鉛直方向に延長させて下辺３ｇを設けたコ字型形状に構成している。
【００４７】
前記金具３に新たに付加した前記下辺３ｇは，前記Ｌ字型形状の金具３の前記下辺３ｂと前記パラペット５を挟んで前記パラペット５の内壁面５ｃに添って下方に延びるものであり，図５及び図６に示す前記金具３は，前記パラペット５の外壁面５ａに当接する下辺３ｂと，前記パラペット５の上面５ｂに当接する上辺３ｃと，前記パラペット５の内壁面５ｃに対面する下辺３ｇとからなるコ字型形状を呈している。
さらに，図５及び図６に示す実施形態では，前記下辺３ｇの先端側を水平方向に折り曲げて，その先端側に取付具３ｄ，３ｅを取付け，前記パラペット５の頂部より低い位置で前記ロープ６の一端に設けた取付具６ａを前記金具３の取付具３ｄ，前記ロープ７の一端に設けた取付具７ａを，３ｅに連結している。
【００４８】
図５及び図６に示す実施形態の金具３は，前記下辺３ｂが前記パラペット５の外壁面５ａに当接し，前記上辺３ｃが前記パラペット５の上面５ｂに当接し，前記下辺３ｇが前記パラペット５の内壁面５ｃに対面することにより，前記パラペット５に装着され，さらに前記金具３は前記パラペット５の頂部より低い位置で前記取付具３ｄ，３ｅに連結している前記ロープ６，７による牽引力を受けて前記パラペット５に固定される。
【００４９】
さらに，前記金具３は前記パラペット５の頂部より低い位置で前記取付具３ｄ，３ｅに連結している前記ロープ６，７による牽引力を受けて前記パラペット５に固定されるため，前記親綱２を介して前記金具３に加わる荷重に対抗する牽引力を前記金具３に作用することができ，前記金具３の前記パラペット５に対する固定を確実に行うことができるものである。
【００５０】
［第３，４の実施形態］
次に，上述した前記金具３を前記パラペット５に装着する際の変更例を図７及び図８に基づいて他の実施形態として説明する。
図１乃至図６に示す実施形態における前記金具３は，前記パラペット５に直に当接するものであったが，これに限定するものではない。前記金具３が前記パラペット５に直に当接させる場合には，前記金具３の当接により前記パラペット５が損傷を受ける可能性がある。
【００５１】
図７及び図８に示す前記金具３を前記パラペット５に装着する構造においては，前記金具３の内面と前記パラペット５との間に衝撃緩和材１１を介在させ，この衝撃緩和材１１により前記金具３を前記パラペット５に固定する際の衝撃力を緩和するようにしている。以下，それぞれの実施形態を個別に説明する。
【００５２】
図７に示す実施形態では，前記金具３が断面の形状をコ字型形状としているので，前記金具３の外壁側の下辺３ｂの内側に前記衝撃緩和材１１の外壁側の下辺１１ａを宛がい，前記金具３の上辺３ｃの内側に前記衝撃緩和材１１の上辺１１ｂを宛がい，前記金具３の内壁側の下辺３ｇに前記衝撃緩和材１１の内壁側の下辺１１ｃを宛がうようにしている。
従って，前記衝撃緩和材１１の外壁側の下辺１１ａは前記パラペット５の外壁面５ａに，前記衝撃緩和材１１の上辺１１ｂは前記パラペット５の上面５ｂに，前記衝撃緩和材１１の内壁側の下辺１１ｃは前記パラペット５の内壁面５ｃにそれぞれ当接することになり，この衝撃緩和材１１が前記金具３を前記パラペット５に固定する際の衝撃力を緩和している。
なお，前記衝撃緩和材１１の内壁側の下辺１１ｃは，必要に応じて設ければよい。
【００５３】
図８に示す実施形態では，前記金具３の断面がＬ字型形状となっているので，前記金具３の外壁側の下辺３ｂの内側に前記衝撃緩和材１１の外壁側の下辺１１ａを宛がい，前記金具３の上辺３ｃの内側に前記衝撃緩和材１１の上辺１１ｂを宛がうようにしている。
従って，前記衝撃緩和材１１の外壁側の下辺１１ａはパラペット５の外壁面５ａに，衝撃緩和材１１の上辺１１ｂはパラペット５の上面５ｂにそれぞれ当接ことになり，この衝撃緩和材１１が前記金具３を前記パラペット５に固定する際の衝撃力を緩和している。
【００５４】
以上説明したように，図７及び図８に示す前記金具３を前記パラペット５に装着する構造によれば，前記金具３の内面と前記パラペット５との間に衝撃緩和材１１が介在するため，この衝撃緩和材１１により前記金具３を前記パラペット５に固定する際の衝撃力を緩和することができるものである。
【００５５】
［第５の実施形態］
以上の説明では，前記ロープ６，７と前記金具３との組み合わせによりトラス構造を単一のものとして構築したが，これに限られるものではない。前記トラス構造の変更例を図９に基づいて他の実施形態として説明する。
【００５６】
図９に示す実施形態では，前記塔屋８の留め具９から延びるロープ６，７に加えて新たなロープ１２を前記塔屋８の留め具９に取付具１２ｂにより連結している。さらに，前記金具３には前記取付具３ｄ，３ｅの間に位置させて新たな取付具３ｈを設けている。
そして，前記新たなロープ１２を前記２本のロープ６，７間に位置させて前記金具３の取付具３ｈに取付具１２ａにより連結している。
【００５７】
図９に示す実施形態においては，前記ロープ６及び前記ロープ１２を２辺とし前記金具３を１辺とするトラス構造を構築しているとともに，前記ロープ１２及び前記ロープ７を２辺とし前記金具３を１辺とするトラス構造を構築している。
【００５８】
図９に示す実施形態によれば，前記金具３を前記パラペット５に固定するトラス構造が３つになり，前記ロープ６，７並びに前記ロープ１２による牽引力が前記金具３に作用することになり，前記金具３を前記パラペット５により確実に固定することができるものである。
【００５９】
なお，以上の説明では牽引部材としてロープを用いたが，ロープ以外を牽引部材として用いてもよい。
【産業上の利用可能性】
【００６０】
以上説明したように本発明によれば，ネジ作用の固定方式を用いることなく，親綱固定具に作用する力のバランスを利用してワンタッチで固定することが実現でき，建造物の保守・点検に必要な作業を効率的に行うことに貢献するものである。
【００６１】
本発明は，その本質的特性から逸脱することなく種々の形式に変形して具体化することができる。よって，上述した実施形態は専ら説明上のものであり，本発明を制限するものではないことは言うまでもない。
【符号の説明】
【００６２】
１        親綱固定具
２        親綱
２ａ      取付具
３        金具
３ａ      取付部
３ｂ      金具の外壁側の下辺
３ｃ      金具の上辺
３ｄ      取付具
３ｅ      取付具
３ｆ      ずれ止め
３ｇ      金具の内壁側の下辺
３ｈ      取付具
４        建造物
５        端部（パラペット）
５ａ      端部（パラペット）の外壁面
５ｂ      端部（パラペット）の上面
５ｃ      端部（パラペット）の内壁面
６        牽引部材（ロープ）
６ａ      取付具
６ｂ      取付具
７        牽引部材（ロープ）
７ａ      取付具
７ｂ      取付具
８        塔屋
９        留め具
１０      足場
１１      衝撃緩和材
１１ａ    衝撃緩和材の外壁側の下辺
１１ｂ    衝撃緩和材の上辺
１１ｃ    衝撃緩和材の内壁側の下辺
１２      牽引部材（ロープ）
１２ａ    取付具
１２ｂ    取付具
１３      安全帯
１４      取付具
２０      本体枠部
２０ａ    載置固定部
２０ｂ    外壁固定部
２１      パラペット
２１ａ    パラペットの上面
２１ｂ    パラペットの外壁面
２１ｃ    パラペットの内壁面
２２      支持板
２３      挟着固定部
２４      取付具
２５      親綱
２５ａ    取付部
２６      ネジ止め
【図１】
2015137461.tif 000003
【図２】
2015137461.tif 000004
【図３】
2015137461.tif 000005
【図４】
2015137461.tif 000006
【図５】
2015137461.tif 000007
【図６】
2015137461.tif 000008
【図７】
2015137461.tif 000009
【図８】
2015137461.tif 000010
【図９】
2015137461.tif 000011
【図１０】
2015137461.tif 000012